【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
一組の歯の物理モデルを製作するために該一組の歯の仮想モデルを生成し、生成された前記物理モデルは、少なくとも１つの歯が着脱可能構成要素の一部であるように構成されるコンピュータ実装方法であって、該方法は、
前記一組の歯の仮想モデルを取得することであって、該仮想モデルは、歯肉部分と、該仮想モデルの中の前記着脱可能構成要素の一部となる歯とを含む、ことと、
前記歯肉部分の中に空洞を生成することであって、前記空洞は、空洞壁を含み、前記空洞の中に前記着脱可能構成要素が嵌合し、それにより、前記着脱可能構成要素と前記空洞壁との間の界面が画定され、前記着脱可能構成要素と前記空洞とは、前記界面に間隙を提供するように構成される、ことと、
前記空洞の中に前記着脱可能構成要素を支持および位置付けるように構成された支持要素を提供することであって、該支持要素が、前記着脱可能構成要素および前記空洞壁のうちの一方に生成されることにより、該支持要素は、前記着脱可能構成要素と前記空洞壁との間の前記間隙を横断して延在し、それにより、前記仮想モデルから製作される物理モデルにおいて、前記支持要素は、前記空洞の中に前記着脱可能構成要素を支持し、位置付ける、ことと、
を含み、
前記界面における前記着脱可能構成要素と前記空洞壁との間の接触領域は、前記支持要素と前記着脱可能構成要素および前記空洞壁のうちの他方との隣接表面の形状によって制御される、方法。
【請求項２】
前記支持要素の少なくとも一部が、前記空洞壁に生成されることにより、前記界面における前記着脱可能構成要素と前記空洞壁との間の前記接触領域が、前記支持要素と前記空洞壁との隣接表面の形状によって制御される、請求項１に記載の方法。
【請求項３】
前記支持要素の少なくとも一部が、前記空洞壁に生成されることにより、前記界面における前記着脱可能構成要素と前記空洞壁との間の前記接触領域が、前記支持要素と前記着脱可能構成要素との隣接表面の形状によって制御される、請求項１または２に記載の方法。
【請求項４】
前記支持要素は、前記着脱可能構成要素と前記空洞との間に摩擦を提供する１つ以上の摩擦点を含む、請求項１〜３のいずれか一項に記載のコンピュータ実装方法。
【請求項５】
前記支持要素は、前記着脱可能構成要素の基部の各々の略真っ直ぐな側面に対応する位置に配設される、請求項１〜４のいずれか一項に記載の方法。
【請求項６】
前記接触領域の範囲内の前記支持要素の幅は、約０．０１ｍｍから約４ｍｍまでの範囲内にある、請求項１〜５のいずれか一項に記載の方法。
【請求項７】
前記接触領域の範囲内の前記支持要素の長さは、約０．０１ｍｍから約２０ｍｍまでの範囲内にある、請求項１〜６のいずれか一項に記載の方法。
【請求項８】
前記支持要素の高さは、約０．０５ｍｍから約２ｍｍまでの範囲内にある、請求項１〜７のいずれか一項に記載の方法。
【請求項９】
Ｎｅｌｅｍ個の支持要素は、前記着脱可能構成要素および／または前記空洞壁の上に提供され、Ｎｅｌｅｍは、３、４、６、８、９、１０、１２、または１６のグループから選択される、請求項１〜８のいずれか一項に記載の方法。
【請求項１０】
前記接触領域と前記空洞壁の面積との比、または、前記接触領域と前記界面の面積との間の比は、約０．９より小さい、請求項１〜９のいずれか一項に記載の方法。
【請求項１１】
前記支持要素は、切断角錐として、または正方形の錐台もしくは長方形の錐台として形成される、請求項１〜１０のいずれか一項に記載の方法。
【請求項１２】
前記着脱可能構成要素が前記空洞の中に配設されるときに、緊密な嵌合が前記空洞と前記着脱可能構成要素との間に作成されるように、前記支持要素は、該支持要素の体積が前記着脱可能構成要素または前記空洞の体積と少なくとも部分的に重複するように提供されるように構成される、請求項１〜１１のいずれか一項に記載の方法。
【請求項１３】
前記空洞壁の輪郭は、外側曲線に従い、前記着脱可能構成要素の輪郭は、内側曲線に従い、該内側曲線は、該外側曲線の内側に配設される、請求項１〜１２のいずれか一項に記載の方法。
【請求項１４】
前記着脱可能構成要素の上に生成される支持要素は、前記外側曲線と実質的に整列されている前記接触領域内の表面を含み、それにより、前記支持要素は、前記接触領域において前記空洞壁の表面と平行である前記接触領域内の表面を有するよう成形される、請求項１３に記載の方法。
【請求項１５】
支持要素は、前記空洞の前記壁の上に生成され、および前記内側曲線と実質的に整列されている前記接触領域内の表面を含み、それにより、これらの支持要素は、前記接触領域において前記着脱可能構成要素の表面と平行である前記接触領域内の表面を有するよう成形される、請求項１３に記載の方法。
【請求項１６】
前記仮想モデルを提供することは、前記一組の歯の仮想表現から前記仮想モデルを生成することを含み、前記一組の歯の前記仮想表現は、口腔内スキャナを用いて該一組の歯をスキャンすることによって、または該一組の歯の印象をスキャンすることによって提供される、請求項１〜１５のいずれか一項に記載の方法。
【請求項１７】
当該方法は、前記物理モデルを製作する前に、前記着脱可能構成要素の周囲に前記モデルの前記歯肉部分をデジタル的に再配置することを含む、請求項１〜１６のいずれか一項に記載の方法。
【請求項１８】
前記モデルの前記歯肉部分をデジタル的に再配置することは、前記モデルの前記歯肉部分を、前記着脱可能構成要素から離れるように、および前記着脱可能構成要素までデジタル移動させることを含む、請求項１７に記載の方法。
【請求項１９】
一組の歯の物理モデルを製作するために前記一組の歯の仮想モデルを生成することについてのコンピュータ実装方法であって、該方法は、
該一組の歯の仮想モデルを提供することと、
少なくとも１本の歯が、前記仮想モデルの中の着脱可能構成要素の一部として配設されるように構成されることを提供することであって、前記着脱可能構成要素が、前記仮想モデルの歯肉部分の中の対応する空洞の中に嵌合するように適合されることにより、前記着脱可能構成要素と空洞壁との間の界面が画定される、ことと、
前記仮想モデルの中の前記空洞の中に前記着脱可能構成要素を支持および位置付けるための手段を提供することと、
前記着脱可能構成要素と前記空洞壁との間の接触領域が、前記界面の領域よりも小さくなるように、前記支持および位置付けるための手段を構成することと、
を含む、方法。
【請求項２０】
一組の歯の物理モデルを製作するために前記一組の歯の仮想モデルを生成するためのシステムであって、該システムは、
前記一組の歯の仮想モデルを生成するための手段であって、該仮想モデルは、前記一組の歯の仮想表現に基づいている、手段と、
少なくとも１本の歯が、前記仮想モデルの中の着脱可能構成要素の一部として配設されるように構成されることを提供するための手段であって、前記着脱可能構成要素が、前記仮想モデルの歯肉部分の中の対応する空洞の中に嵌合するように適合されることにより、前記着脱可能構成要素と空洞壁との間の界面が画定され、前記着脱可能構成要素と前記空洞とは、前記界面において間隙を提供する、手段と、
各着脱可能構成要素を、前記仮想モデルの中のそれらの対応する空洞の中に支持および位置付けるための手段を提供するための手段であって、該支持および位置付けるための手段が、前記着脱可能構成要素および前記空洞壁のうちの一方に提供されることにより、前記支持および位置付けるための手段は、前記着脱可能構成要素と前記空洞壁との間の前記間隙を横断して延在する、手段と、
前記支持および位置付けるための手段を構成するための手段であって、該構成により、前記界面における前記着脱可能構成要素と前記空洞壁との間の接触領域が、前記支持および位置付けるための手段と前記着脱可能構成要素および前記空洞壁のうちの他方との隣接表面の形状によって制御される、手段と、
を含む、システム。